(57)【特許請求の範囲】
【請求項１】
瓦本体を備える屋根瓦ユニット体の構造であって、
前記瓦本体は、時計回りに順番に第１縁辺、第２縁辺、第３縁辺及び第４縁辺が設けられ、前記瓦本体の上面には、前記第１縁辺から前記第３縁辺方向に、内側に凹陥した第１凹弧面が形成され、前記第３縁辺に沿って上方向にブレードが延伸され、前記第１縁辺と前記第３縁辺とには、互いに対応する第１連結部材と第３連結部材とが設けられ、前記第３連結部材が同一構造の他の屋根瓦ユニット体の前記第１連結部材に連結されることにより、前記第１縁辺は、前記他の屋根瓦ユニット体のブレードに重設され、前記第２縁辺と前記第４縁辺とには、第２連結部材と第４連結部材とが設けられ、前記第２連結部材が同一構造の他の屋根瓦ユニット体の第４連結部材に連結されることにより、前記第４縁辺は、前記他の屋根瓦ユニット体の第２縁辺に重設され、前記第２連結部材は、前記第２縁辺上面に沿って設置されるストッパ片であり、前記第４連結部材は、前記第４縁辺底面に沿って設置されるとともに、前記ストッパ片に対応する溝であり、前記ストッパ片は、同一構造の他の屋根瓦ユニット体の前記溝に嵌入されることを特徴とする屋根瓦ユニット体の構造。
【請求項２】
前記瓦本体上面の前記第１縁辺の近隣には、前記第１縁辺の方向に沿って内側に凹陥した第２凹弧面が形成されることを特徴とする請求項１記載の屋根瓦ユニット体の構造。
【請求項３】
前記瓦本体の底面には、少なくとも１つの凸リブが設けられ、前記第２縁辺及び前記第４縁辺には、下方に当接部材が設けられ、前記各当接部材の底面と前記凸リブの底面とは、同一平面上に位置することを特徴とする請求項２記載の屋根瓦ユニット体の構造。
【請求項４】
前記屋根瓦ユニット体は、プラスチック材料から製造されることを特徴とする請求項３記載の屋根瓦ユニット体の構造。
【請求項５】
前記第１縁辺からは、第１ストッパ片が下方に延伸し、前記第４縁辺からは、第４ストッパ片が下方に延伸することを特徴とする請求項１又は２記載の屋根瓦ユニット体の構造。
【請求項６】
前記第４縁辺からは、第４ストッパ片が下方に延伸することを特徴とする請求項１又は２記載の屋根瓦ユニット体の構造。
【請求項７】
前記第３縁辺からは、第３ストッパ片が下方に延伸し、前記第４縁辺からは、第４ストッパ片が下方に延伸することを特徴とする請求項１又は２記載の屋根瓦ユニット体の構造。
【請求項８】
前記第３縁辺からは、第３ストッパ片が下方に延伸することを特徴とする請求項１又は２記載の屋根瓦ユニット体の構造。
【請求項９】
前記第１縁辺からは、第１ストッパ片が下方に延伸することを特徴とする請求項１又は２記載の屋根瓦ユニット体の構造。
【発明の詳細な説明】
【技術分野】
【０００１】
本発明は、屋根瓦に関し、特に屋根瓦ユニット体の構造に関する。
【背景技術】
【０００２】
かつて、多くの建築物の頂部は、平面構造が採用されていた。
しかし、平面構造は、防水層が老化しやすい上、施工不良などのために、漏水、浸水などの状況が頻繁に発生していた。
【０００３】
上述の構造を改善するために、建築物の頂部に屋根瓦が設置され、中間部が隆起し、２つの傾斜面が形成される屋根が多く採用されるようになった。
屋根瓦によって傾斜面が形成される屋根は、以下（１）〜（３）に示す効果を実現することができる。
（１）斜面を利用して屋根の雨水を排出することにより、雨水が溜まったり、漏水、浸水などの問題が発生したりするのを防止することができる。
（２）屋根瓦と建築物頂部とに囲まれた空間によって空気が対流するため、冬に暖かく、夏に涼しい効果を実現することができる。
（３）屋根瓦のデザイン及び色により、建築物の外観に変化に富んだ風格を形成することができる。
【０００４】
しかし、一般に、屋根瓦を設置する際、２つの同一構造の屋根瓦を接着剤によって接続する必要があるため、１つの屋根瓦が損壊した場合、全ての屋根瓦を交換しなければならない。
この問題に鑑み、特許文献１の屋根瓦が開示されている。特許文献１は、屋根瓦の構造を開示するものである。
しかし、図５に示すように、特許文献１の屋根瓦の構造は、２つの瓦本体を連結した際、連結部分に隙間が形成され、隙間の水平位置が瓦本体上面の水平位置以下であるため、雨水が多い場合、雨水が隙間から建築物上部に浸入する可能性があり、所望の効果が低下する欠点を有する。
このため、本発明の発明者は、改善が必要であると考えた。
【先行技術文献】
【特許文献】
【０００５】
【特許文献１】特願２０００−４５４６０号公報
【発明の概要】
【発明が解決しようとする課題】
【０００６】
本発明の目的は、従来技術の欠点を解決することができる屋根瓦ユニット体の構造を提供することにある。
【課題を解決するための手段】
【０００７】
上述の課題を解決するために、本発明の屋根瓦ユニット体の構造は、瓦本体を含む。
瓦本体には、時計回りに順番に第１縁辺、第２縁辺、第３縁辺及び第４縁辺が設けられる。
瓦本体の上面には、第１縁辺から第３縁辺方向に、内側に凹陥した第１凹弧面が形成される。
また、第３縁辺に沿って上方向にブレードが延伸される。
第１縁辺と第３縁辺とには、互いに対応する第１連結部材と第３連結部材とが設けられる。
第１連結部材が他の屋根瓦ユニット体の第３連結部材に連結されることにより、第１縁辺は、他の屋根瓦ユニット体のブレードに重設される。
第２縁辺と第４縁辺とには、第２連結部材と第４連結部材とがそれぞれ設けられる。
第２連結部材が他の屋根瓦ユニット体の第４連結部材に連結されることにより、第４縁辺は、他の屋根瓦ユニット体の第２縁辺に重設される。
【発明の効果】
【０００８】
本発明の屋根瓦ユニット体の構造によって以下（１）及び（２）に示す効果を実現することができる。
（１）ブレードの阻止効果と、ブレード上部の高度が第１凹弧面の最低部分より高いことと、により、雨水が風に吹かれたり、溜まったり、流動したりして２つの屋根瓦ユニット体が接続された隙間から建築物上部に浸入するのを防止することができる。
（２）各連結部材によって同一構造の屋根瓦ユニット体が互いに連結されるため、設置が簡単であり、１つの屋根瓦ユニット体が損壊した場合でも、損壊した屋根瓦ユニット体のみを交換すればよい。
【図面の簡単な説明】
【０００９】
【図１】本発明の屋根瓦ユニット体の構造を示す斜視図である。
【図２】本発明の同一構造の２つの屋根瓦ユニット体を接続する状態を示す斜視図及び断面図である。
【図３】本発明の同一構造の２つの屋根瓦ユニット体を接続する状態を示す斜視図である。
【図４】本発明の２つの屋根瓦ユニット体を接続する状態を示す、図３のＸ部分の拡大断面図である。
【図５】本発明の各種の複数の屋根瓦ユニット体を接続する状態を示す斜視図である。
【図６】本発明の屋根瓦ユニット体の第２実施形態を示す斜視図である。
【図７】本発明の屋根瓦ユニット体の第３実施形態を示す斜視図である。
【図８】本発明の屋根瓦ユニット体の第４実施形態を示す斜視図である。
【図９】本発明の屋根瓦ユニット体の第５実施形態を示す斜視図である。
【図１０】本発明の屋根瓦ユニット体の第６実施形態を示す斜視図である。
【図１１】図１の矢印で示す線に沿った断面図である。
【発明を実施するための形態】
【００１０】
本発明の目的、特徴及び効果を示す実施形態を図面に沿って詳細に説明する。
【００１１】
（第１実施形態）
図１に示すように、本発明は、屋根瓦ユニット体に関する。
本発明の屋根瓦ユニット体は、瓦本体１、ブレード２及び４つの連結部材を含む。
【００１２】
図１及び図１１を参照する。
図１及び図１１に示すように、瓦本体１には、時計回りに順番に第１縁辺１１、第２縁辺１２、第３縁辺１３及び第４縁辺１４が設けられる。
瓦本体１の上面には、第１縁辺１１から第３縁辺１３方向に、内側に凹陥した第１凹弧面１５が形成される。
瓦本体１の底面の第１縁辺１１の近隣には、第１縁辺１１に沿って内側に凹陥した第２凹弧面１６が形成される。
【００１３】
図１、図２及び図１１を参照する。
図１、図２及び図１１に示すように、第３縁辺１３に沿って上方向にブレード２が延伸される。
これにより、瓦本体１の上面には、非連続の弧面が形成される。
【００１４】
図１〜図４を参照する。
図１〜図４に示すように、第１縁辺１１と第３縁辺１３とには、互いに対応する第１連結部材３１Ｂと第３連結部材３３とが設けられる。
また、第２縁辺１２と第４縁辺１４とには、互いに対応する第２連結部材３２と第４連結部材３４とが設けられる。
図面に示す角度関係から、第１連結部材の位置は、図２に示す同一構造の他の屋根瓦ユニット体Ｂの第１連結部材３１Ｂに示す。
【００１５】
図２に示すように、第３連結部材３３が同一構造の他の屋根瓦ユニット体Ｂの第１連結部材３１Ｂに連結されることにより、同一構造の他の屋根瓦ユニット体Ｂの第１縁辺１１Ｂがブレード２の上部に重設される。
これにより、ブレード２上縁の高度が第１凹弧面１５の最低部分より高くなるため、雨水を阻止する効果が提供され、雨水が風に吹かれたり、溜まったり、流動したりして２つの屋根瓦ユニット体Ａ，Ｂが接続された隙間４から建築物上部に浸入するのを防止することができる。
特に、瓦本体１が第２凹弧面１６を有する場合、２つの同一構造の屋根瓦ユニット体Ａを連結すると、蛇行した隙間４が形成されるため、隙間４から建築物上部に雨水を浸入しにくくし、防水効果を大幅に高めることができる。
【００１６】
第１連結部材３１(３１Ｂ)と第３連結部材３３(３３Ａ)とは、互いに対応する凸ブロック３３とフック体３１(例えば、Ｌ字形状)とであり、フック体３１が凸ブロック３３に係合されることにより、２つの同一構造の屋根瓦ユニット体を安定的に連結することができる。
さらに、第１連結部材３１(３１Ｂ)は、溝３１１をさらに有し、２つの同一構造の屋根瓦ユニット体が連結される際、先にブレード２が溝３１１内に嵌入され、その後、屋根瓦ユニット体をスライドさせることにより、フック体が凸ブロックに係合される。
また、図３及び図４に示すように、第４連結部材３４が同一構造の他の屋根瓦ユニット体Ｃの第２連結体３２Ｃに連結されることにより、第４縁辺１４が同一構造の他の屋根瓦ユニット体Ｃの第２縁辺１２Ｃに重設される。
【００１７】
本発明の屋根瓦ユニット体Ａによって以下（１）及び（２）に示す効果を実現することができる。
（１）ブレード２の阻止効果と、ブレード２上部の高度が第１凹弧面１５の最低部分より高いことと、により、雨水が風に吹かれたり、溜まったり、流動したりして２つの屋根瓦ユニット体Ａ，Ｂが接続された隙間４から建築物上部に浸入するのを防止することができる。
また、ブレード２の設置により、第１凹弧面１５に第１縁辺１１から第３縁辺１３方向に連続した弧面が形成されないため、雨水が第１凹弧面１５を流動する流暢性が影響を受け、雨水を阻止する効果を高めることができる。
（２）各連結部材によって各同一構造の屋根瓦ユニット体が互いに連結されるため、設置が簡単であり、１つの屋根瓦ユニット体が損壊した場合でも、損壊した屋根瓦ユニット体のみを交換すればよい。
【００１８】
図３〜図５を参照する。
図３〜図５に示すように、本発明の連結部材は、以下に示すように実施することができる。
第２連結部材３２は、第２縁辺１２上面に沿って設置されるストッパ片である。
第４連結部材３４は、第４縁辺１４底面に沿って設置される上、ストッパ片に対応する溝である。
これにより、同一構造の２つの屋根瓦ユニット体Ａ，Ｃを第２連結部材３２Ｃ及び第４連結部材３４によって連結する際、屋根瓦ユニット体Ｃのストッパ片を溝内に嵌入する構造であるため、本発明の屋根瓦ユニットの構造によって構成される屋根Ｂは、ストッパ片による阻止効果により、雨水が下方から上方に吹き上げられ、連結部分から建築物上部に浸入するのを阻止することができる。
さらに、溝とストッパ片との間に蛇行した経路が形成されるため、雨水の浸入をさらに防止することができる。
【００１９】
図１及び図１１を参照する。
図１及び図１１に示すように、本発明は、以下に示す形態に実施することができる。
瓦本体１の底面には、少なくとも１つの凸リブ５が設けられる。
これにより、屋根瓦ユニット体Ａの強度が高められて損壊しにくくなる。
また、第２縁辺１２及び第４縁辺１４には、当接部材６がそれぞれ設けられる。
各当接部材６の底面と凸リブ５の底面とは、同一平面上に位置する。
これにより、屋根瓦ユニット体Ａを建築物上部に安定的に設置することができる。
また、好ましくは、第２縁辺１２の当接部材６の外側に少なくとも１つの連結片７が設けられる。
連結片７には、少なくとも１つの孔７１が設けられる。
これにより、屋根瓦ユニット体Ａを建築物上部に設置する際、ねじを孔７１に貫通させて建築物上部に螺着することにより、屋根瓦ユニット体Ａを設置する際の安定性を高めることができる。
【００２０】
本発明の屋根瓦ユニット体Ａは、プラスチックから製造される。
プラスチック材料は、様々な色に構成することができるため、屋根Ｂの色配置をカスタマイズすることができる。
このため、現代人が求める個性的な屋根を形成することができる。
また、プラスチック材料は、回収して再利用することができるため、屋根瓦ユニット体Ａが損壊した場合、回収して処理することによって再利用することができ、環境汚染を低減することができる。
【００２１】
本発明の屋根瓦ユニット体Ａの第２実施形態〜第６実施形態を以下に示す。
【００２２】
（第２実施形態）
図６を参照する。
図６に示すように、屋根瓦ユニット体Ｂは、第１縁辺１１Ｂから第１ストッパ片８１Ｂが下方に延伸する。
【００２３】
（第３実施形態）
図７を参照する。
図７に示すように、屋根瓦ユニット体Ｄは、第１縁辺１１Ｄから第１ストッパ片８１Ｄが下方に延伸する。
また、第４縁辺１４Ｄから第４ストッパ片８４Ｄが下方に延伸する。
【００２４】
（第４実施形態）
図８を参照する。
図８に示すように、屋根瓦ユニット体Ｃは、第４縁辺１４Ｃから第４ストッパ片８４Ｃが下方に延伸する。
【００２５】
（第５実施形態）
図９を参照する。
図９に示すように、屋根瓦ユニット体Ｆは、第３縁辺１３Ｆから第３ストッパ片８３Ｆが下方に延伸する。
また、第４縁辺１４Ｆから第４ストッパ片８４Ｆが下方に延伸する。
【００２６】
（第６実施形態）
図１０を参照する。
図１０に示すように、屋根瓦ユニット体Ｅは、第３縁辺１３Ｅから第３ストッパ片８３Ｅが下方に延伸する。
【００２７】
図５を再び参照する。
図５に示すように、屋根瓦ユニット体Ａには、上述の第２実施形態〜第６実施形態を相互に組み合わせて屋根Ｇの構造を構成することができる。
図中、最小の数で屋根Ｇが構成された状態を示すが、実際に設置する際、屋根瓦ユニット体Ａ，Ｂ，Ｃ，Ｄ，Ｅ，Ｆの数は、複数である。
図５及び図６〜図１０に示すように、前述の各実施形態のストッパ片は、雨水を阻止する効果を有するため、雨水が屋根瓦ユニット体と建築物上部とが接続される隙間から建築物上部に浸入するのを防止することができる。
例えば、屋根瓦ユニット体Ｂの第１ストッパ片８１Ｂは、雨水が風で吹き上げられて側部から屋根Ｇ内部に浸入するのを防止することができる。
また、屋根瓦ユニット体Ｃの第４ストッパ片８４Ｃは、雨水が風で下方から上方に吹き上げられて屋根Ｇ内部に浸入するのを防止することができる。
他の各ストッパ片も同様の効果を有するが、ここでは贅言しない。
【００２８】
以上の説明から分かるように、本発明は、産業上の利用性を有し、出願前において刊行物に掲載されたり、公開されて使用されたりしていない。
また、当業者が容易に発明できるものではなく、特許要件に符合する。
【００２９】
上述の説明は、本発明の実施形態を示すものであり、本発明の特許請求の範囲に基づいた同等効果である変更は、何れも本発明に含まれる。
【符号の説明】
【００３０】
Ａ  屋根瓦ユニット体
Ｂ  屋根瓦ユニット体
Ｃ  屋根瓦ユニット体
Ｄ  屋根瓦ユニット体
Ｅ  屋根瓦ユニット体
Ｆ  屋根瓦ユニット体
Ｇ  屋根
１  瓦本体
１１  第１縁辺
１１Ｂ  第１縁辺
１１Ｃ  第１縁辺
１１Ｄ  第１縁辺
１１Ｅ  第１縁辺
１１Ｆ  第１縁辺
１２  第２縁辺
１２Ｂ  第２縁辺
１２Ｃ  第２縁辺
１２Ｄ  第２縁辺
１２Ｅ  第２縁辺
１２Ｆ  第２縁辺
１３  第３縁辺
１３Ｂ  第３縁辺
１３Ｃ  第３縁辺
１３Ｄ  第３縁辺
１３Ｅ  第３縁辺
１３Ｆ  第３縁辺
１４  第４縁辺
１４Ｂ  第４縁辺
１４Ｃ  第４縁辺
１４Ｄ  第４縁辺
１４Ｅ  第４縁辺
１４Ｆ  第４縁辺
１５  第１凹弧面
１６  第２凹弧面
１６Ｂ  第２凹弧面
２  ブレード
３１(３１Ｂ)  第１連結部材
３１１  溝
３２(３２Ａ)  第２連結部材
３３(３３Ａ)  第３連結部材
３４  第４連結部材
４  隙間
５  凸リブ
６  当接部材
７  連結片
７１  孔
８１  第１ストッパ片
８１Ｂ  第１ストッパ片
８１Ｄ  第１ストッパ片
８３  第３ストッパ片
８３Ｅ  第３ストッパ片
８３Ｆ  第３ストッパ片
８４  第４ストッパ片
８４Ｃ  第４ストッパ片
８４Ｄ  第４ストッパ片
８４Ｆ  第４ストッパ片
【図１】
0006014691.tif 000002
【図２】
0006014691.tif 000003
【図３】
0006014691.tif 000004
【図４】
0006014691.tif 000005
【図５】
0006014691.tif 000006
【図６】
0006014691.tif 000007
【図７】
0006014691.tif 000008
【図８】
0006014691.tif 000009
【図９】
0006014691.tif 000010
【図１０】
0006014691.tif 000011
【図１１】
0006014691.tif 000012